(57)【要約】【課題】燃料電池を電源として薬剤を大気に放散することができると共に、環境温度が低い場所でもスムーズに燃料電池を起動して問題なく使用でき、しかも、起動時に薬剤に悪影響を及ぼすことがない薬剤放散装置とする。【解決手段】装置本体１の第２本体６に燃料電池２を設け、第１本体５に発熱体３と薬剤保持体４を設け、この燃料電池２を電源として発熱体３を発熱させることで薬剤保持体４を加熱して薬剤を蒸散するようにし、前記第１本体５と第２本体６を接離自在に連結し、分離することで第２本体６の上面に燃料電池２が露出するようにし、この状態で外部加熱手段で燃料電池２を加熱昇温して環境温度が低い場所で使用する際には燃料電池２を加熱昇温してスムーズに起動できると共に、その熱が薬剤保持体４に伝わらずに薬剤に悪影響を及ぼすことがないようにした薬剤放散装置。【選択図】図１
2006271297.tif 000002
【特許請求の範囲】
【請求項１】
装置本体１を、第１本体５と第２本体６を接離自在に連結したものとし、その第２本体６に燃料電池２を設け、前記第１本体５に、この燃料電池２を電源として薬剤を大気に放散する薬剤放散手段を設け、
前記第１本体５と第２本体６を分離することで、その第２本体６の上面が開口して燃料電池２が外部に露出するようにしたことを特徴とする薬剤放散装置。
【請求項２】
第１本体５と第２本体６を着脱自在に連結して装置本体１とした請求項１記載の薬剤放散装置。
【請求項３】
第１本体５と第２本体６をヒンジ１７で開閉自在に連結して装置本体１とした請求項１記載の薬剤放散装置。
【請求項４】
装置本体１に、燃料電池取付部９０と薬剤放散手段取付部９１を平面方向に離隔して形成し、
前記燃料電池取付部９０に燃料電池２を、装置本体１の上面又は下面又は側面に露出するように取付け、
前記薬剤放散手段取付部９１に、前記燃料電池２を電源として薬剤を大気に放散する薬剤放散手段を取付けたことを特徴とする薬剤放散装置。
【請求項５】
燃料電池２を電源とする発熱体３と、この発熱体３で加熱されて薬剤を蒸散する薬剤保持体４、又は燃料電池２を電源とする送風機１９と、この送風機１９による空気が流通することで薬剤を放散する薬剤保持体４、又は燃料電池２を電源とする超音波発振機構７で発振した振動で薬液容器８内の薬液を大気に噴霧することで薬剤放散手段とした請求項１，２，３，４いずれか１項に記載の薬剤放散装置。
【発明の詳細な説明】
【技術分野】
【０００１】
本発明は、芳香剤、消臭剤、殺菌剤、殺ダニ剤、害虫あるいは害獣忌避剤、殺虫剤または害虫の成長制御剤、吸血行動阻止剤などの薬剤を、大気に放散させる薬剤放散装置に関する。
【背景技術】
【０００２】
従来より薬剤放散装置の一種として、加熱して薬剤を蒸散させる装置が知られている。例えば、マットタイプの電気蚊取器、薬液ボトルタイプの電気蚊取器と呼ばれるものが知られている。
マットタイプの電気蚊取器は、ピレスロイド系殺虫剤を含浸させたパルプ製マットを表面温度が１５０〜１８５℃の板状発熱体上に載置して加熱し、８〜１２時間にわたり殺虫成分だけを蒸散させる加熱式薬剤蒸散装置である。
薬液ボトルタイプの電気蚊取器は、ピレスロイド系殺虫剤を溶剤で溶解した薬液を薬液ボトルに収容し、その薬液ボトル中に浸漬した吸液芯の上部を温度が１２０〜１４０℃のリング状発熱体内で間接加熱し、３０〜９０日間にわたり殺虫成分を蒸散させる長期間継続して使用できる加熱式薬剤蒸散装置である。
【０００３】
前述した各電気蚊取器と呼ばれる加熱式薬剤蒸散装置は、交流電源（商用電源）を電源として発熱体を発熱させるのが一般的であるが、この交流電源の代わりに電池を電源として発熱体を発熱させるマットタイプの加熱式薬剤蒸散装置が特許文献１に開示され、薬液ボトルタイプの加熱式薬剤蒸散装置が特許文献２に開示されている。
【０００４】
また、薬剤放散装置の一種として、超音波により液状の薬剤（つまり、薬液）を霧化し噴霧する超音波式薬剤噴霧装置が特許文献３に開示されている。
【０００５】
また、薬剤放散装置の一種として、特許文献４に開示された送風式薬剤拡散装置が知られている。
この送風式薬剤拡散装置は、装置本体内に、送風機と薬剤容器と電源収納体を設けたもので、その送風機はファンとモータを有し、薬剤容器には揮散性の薬剤が収容され、電源収納体には電池が収納されている。
そして、モータでファンを回転することで薬剤容器に空気を流通して揮散性の薬剤を大気に揮散、拡散する。
【０００６】
【特許文献１】特開平８−２３８５１号公報
【特許文献２】特開２００１−１０３８９８公報
【特許文献３】特開平８−２１５３０８号公報
【特許文献４】特開２００２−２９１３９２号公報
【発明の開示】
【発明が解決しようとする課題】
【０００７】
前述した各装置は、薬剤を放散するために電源を必要としている。
その電源としては交流電源、電池等が用いられるが、交流電源を使用した装置は、使用場所が電源のある屋内などに制限され、電源のない屋外などでは使えない不便さがある。
また、前述の電池を使用した装置は、使用場所に制限がなく屋外などでも使用できると共に、手軽に何処でも持ち運びできる。
【０００８】
しかしながら、前述の装置における電源に用いる電池は、アルカリ電池、マンガン電池、リチウム電池などで、その電池は使用時間に限度があり、使用時間を経過した場合には新しい電池と交換し、旧い電池はゴミとして処分している。
このために、経済的に不利であるし、ゴミ処理問題がある。
また、前記超音波式薬剤噴霧装置は、一般的に噴霧時の消費電力が大きく、特に薬液の超微粒子化や霧化量が多量である場合や長時間継続して噴霧する場合は使用電池の本数を多く必要としたり、電池の交換サイクルが短くなるなどから、交換本数や回数が多くなり、ゴミ量が増える。また経済的でない。
【０００９】
本発明者等は、前述の薬剤放散装置に用いる電源としての電池について鋭意研究した結果、近年、燃料として水素を用い、空気中の酸素と化学反応させて発電する小型の燃料電池が開発されていることに着目し、その小型の燃料電池を電源として用いることで長時間に亘って使用できるし、ゴミ処理問題が生じることがない薬剤放散装置とすることができることを見出した。
【００１０】
しかし、燃料電池は使用する環境温度が低い場合には発電開始、つまり起動し難い問題がある。
このために、燃料電池を電源として用いた薬剤放散装置は環境温度が低い場合での使用に問題がある。
【００１１】
そこで、本発明者等は、燃料電池を起動時に加熱昇温して起動し易くすることを見出したが、燃料電池を加熱する際に、その熱が薬剤に悪影響を及ぼすことがあった。
【００１２】
本発明の目的は、燃料電池を電源として用いることで長時間に亘って使用できるし、ゴミ処理問題が生じることがなく、しかも環境温度が低い場所でも薬剤に悪影響を及ぼすことなく容易に起動できるようにした薬剤放散装置とすることである。
【課題を解決するための手段】
【００１３】
第１の発明は、装置本体１を、第１本体５と第２本体６を接離自在に連結したものとし、その第２本体６に燃料電池２を設け、前記第１本体５に、この燃料電池２を電源として薬剤を大気に放散する薬剤放散手段を設け、
前記第１本体５と第２本体６を分離することで、その第２本体６の上面が開口して燃料電池２が外部に露出するようにしたことを特徴とする薬剤放散装置である。
【００１４】
第２の発明は、第１の発明において、第１本体５と第２本体６を着脱自在に連結して装置本体１とした薬剤放散装置である。
【００１５】
第３の発明は、第１の発明において、第１本体５と第２本体６をヒンジ１７で開閉自在に連結して装置本体１とした薬剤放散装置である。
【００１６】
第４の発明は、装置本体１に、燃料電池取付部９０と薬剤放散手段取付部９１を平面方向に離隔して形成し、
前記燃料電池取付部９０に燃料電池２を、装置本体１の上面又は下面又は側面に露出するように取付け、
前記薬剤放散手段取付部９１に、前記燃料電池２を電源として薬剤を大気に放散する薬剤放散手段を取付けたことを特徴とする薬剤放散装置である。
【００１７】
第５の発明は、第１又は第２又は第３又は第４の発明において、燃料電池２を電源とする発熱体３と、この発熱体３で加熱されて薬剤を蒸散する薬剤保持体４、又は燃料電池２を電源とする送風機１９と、この送風機１９による空気が流通することで薬剤を放散する薬剤保持体４、又は燃料電池２を電源とする超音波発振機構７で発振した振動で薬液容器８内の薬液を大気に噴霧することで薬剤放散手段とした薬剤放散装置である。
【発明の効果】
【００１８】
請求項１に係る発明によれば、燃料電池２を電源として薬剤を放散するので、長時間に亘って使用できるし、燃料電池は再利用できてゴミとならないからゴミ処理問題が生じることがない。
また、環境温度が低い場所で使用する際には、外部加熱手段で燃料電池２を加熱昇温してスムーズに起動でき、問題なく使用できる。
また、第１本体５と第２本体６を分離して第２本体６の上面から燃料電池２を加熱昇温するので、この時に第１本体５に設けた薬剤に外部加熱手段の熱が伝わり難く、その薬剤に悪影響を及ぼすことがない。
【００１９】
請求項２に係る発明によれば、第１本体５と第２本体６を遠く離して第２本体６の上面から燃料電池２を外部加熱手段で加熱でき、その加熱作業がやり易い。
【００２０】
請求項３に係る発明によれば、第１本体５と第２本体６が常時ヒンジ１７で連結されているので、紛失等の恐れがない。
【００２１】
請求項４に係る発明によれば、燃料電池２を電源として薬剤を放散するので、長時間に亘って使用できるし、燃料電池は再利用できてゴミとならないからゴミ処理問題が生じることがない。
また、環境温度が低い場所で使用する際には、外部加熱手段で燃料電池２を加熱昇温してスムーズに起動でき、問題なく使用できる。
また、装置本体１の燃料電池取付部９０と薬剤放散手段取付部９１は平面方向に離隔しているので、外部加熱手段で燃料電池２を加熱昇温する際に、この熱が薬剤に伝わり難く、その薬剤に悪影響を及ぼすことがない。
【発明を実施するための最良の形態】
【００２２】
本発明の薬剤放散装置の第１の実施の形態として加熱式の薬剤放散装置について説明する。
図１に示すように、装置本体１に、燃料電池２、発熱体３、薬剤保持体４を設け、その燃料電池２を電源として発熱体３に通電し、その発熱体３が発熱することで薬剤保持体４を加熱し、その薬剤保持体４が保持している薬剤を蒸散し、大気に放散する。
前記装置本体１は第１本体５と第２本体６を備え、第１本体５に発熱体３、薬剤保持体４が設けてあり、第２本体６に燃料電池２が設けてある。
前記第１本体５と第２本体６は接離自在で、薬剤を放散する通常使用時には接合して一体的とし、起動時には分離する。
第１本体５と第２本体６が分離すると第２本体６の上面が開口して燃料電池２が露出する。
【００２３】
このようであるから、環境温度が低い時には第１本体５と第２本体６を分離し、外部加熱手段で燃料電池２を加熱昇温することで、容易に起動できる。
したがって、燃料電池を電源とした加熱式薬剤放散装置を環境温度が低い場所でも問題なく使用できる。
また、薬剤保持体４と燃料電池２は離れているので、燃料電池２を外部加熱手段で加熱する際に、その熱が薬剤保持体４に伝わることがなく、薬剤に悪影響を及ぼすことがない。
【００２４】
前記外部加熱手段としては、一般的に家庭で常備されているドライヤーなどの乾燥器具や赤外温風機、エアコン、灯油式、電気式、ガス式等の暖房器具などから発生する熱風を利用する。
例えばドライヤーを使用して燃料電池に向けて熱風を当てて加熱する。
または暖房器具からの熱風流路に装置本体を置いて燃料電池を温める。
または使い捨てカイロや再生カイロなどの温熱剤の発熱温度を利用する。例えば、カイロを燃料電池の露出面側に被せたり、燃料電池の収納室内に入れて温める。
前記使い捨てカイロは金属の酸化反応を利用したもので、鉄粉等の金属粉末、反応助剤としての塩類、水、触媒的な働きをする活性炭、及びパーミキュライト、珪藻土、木粉等の保水剤などを透気性の袋に収納して用いる。
または水に溶解する時の水和熱又は溶解熱を利用したもので、水と発熱反応する発熱剤（塩化カルシウム、炭酸ナトリウム、等）と、水又は水を加えて含水させゲル化した吸水性樹脂とを予め分離して収容しておき、必要時にこれらを混合して用いる。
繰り返して使える再生カイロは、ポリエチレングリコール、ポリビニルアルコール、ポリアクリル酸ナトリウム、カルボキシメチルセルロース、カルボキシメチルセルロース多価金属塩等の増粘剤又はゲル化剤からなる高粘度流動体を袋に充填したもので、必要時電子レンジなどで温めて用いる。
上記外として、ノルマルパラフィン、高級アルコール等の有機系蓄熱材と酢酸ナトリウムや塩化マグネシウム等多水塩の無機系蓄熱材を有する水性分散液、熱水、電気カーペットなどの熱を利用することもできる。
【００２５】
次に、前述の各部材の具体形状を説明する。
前記第１本体５は周面板５ａと上面板５ｂで下面が開口した箱形状で、上面板５ｂに開口部１０が形成してある。
この開口部１０の周縁下部が発熱体取付部１１で、周縁上部が薬剤保持体取付部１２である。
前記第２本体６は第１本体５が嵌合して着脱自在に取付けられる第１本体取付用開口部１３と、この第１本体取付用開口部１３に開口した電池本体収納室１４と燃料タンク収納室１５を有する。
前記電池本体収納室１４には燃料電池２の電池本体２０が収納して設けてあり、図２に示すように、第１本体５を取り外して離すことで電池本体２０が第１本体取付用開口部１３から外部に露出する。
前記燃料タンク収納室１５に燃料電池２の燃料タンク２１が収納してある。例えば、蓋１６を外して燃料タンク収納室１５を開放し、燃料タンク２１を挿入、抜き出しする。
【００２６】
前記電池本体２０は、図３に示すように容器２２内に負極（燃料極）２３と正極（空気極）２４とが電解質層２５を介して対向して形成されている。
この負極２３は燃料を酸化して燃料から電子とプロトンとを取り出すもので、触媒層とガス透過層とが積層された構造を有している。この負極２３の端部には負極端子（図示せず）が配設されている。
前記正極２４は酸素を還元して発生させた電子と負極において発生したプロトンとを反応させて水を生成するものである。例えば、負極２３と同様の構造を有している。
なお、正極２４の端部には正極端子（図示せず）が配設してある。
前記電解質層２５は、負極２３において発生したプロトンを正極２４に輸送するためのものであり、電子伝導性をもたず、プロトンを輸送することが可能な材料により構成されている。
【００２７】
上述の反応過程において、負極２３と正極２４の間に電位差が生じ発電する。
前記負極２３の電解質層２５と反対側には、例えば負極２２に隣接して燃料保持空間２６が設けられている。この燃料保持空間２６には、隣接して配設された燃料タンク２１の供給パイプ２７に対応して前述の燃料供給口２８が形成されている。これにより、燃料保持空間２６と燃料タンク２１内とは供給パイプ２７、燃料供給口２８を介して互いに連通され、燃料タンク２１内の燃料が燃料保持空間２６に充填されるようになっている。そして負極２３に燃料が供給する。
【００２８】
前記発熱体３は開口部１０よりも大きな板状で、その開口部１０周縁下面（発熱体取付部１１）に固着して取付けられ、この発熱体３で開口部１０を閉塞している。
前記発熱体３の一例を具体的に説明すると、平板状の放熱板が接合した絶縁ケース内に、ＰＴＣサーミスタよりなる発熱素子が収容され、蓋で封止されている。このＰＴＣサーミスタ（正特性サーミスタ）は、ある一定温度に達すると電流が減少し、温度が下がると自動的に電流が増加して定温の発熱体として機能するもので温度安定性や安全性が高い。
【００２９】
前記薬剤保持体４は、通気性を有するシートに薬剤を含浸したシート状の薬剤含浸体４０と、この薬剤含浸体４０を保持する保持容器４１を備えている。
前記保持容器４１は容器本体４２と押えリング４３を有し、その容器本体４２に薬剤含浸体４０を載置し、その容器本体４２に押えリング４３を嵌合して取付けて薬剤含浸体４０を押しつけ保持している。
【００３０】
前記第１本体５と第２本体６を図４に示すようにヒンジ１７で開閉自在に連結しても良い。
この場合には、第１本体５を第２本体６に対して矢印ａ方向に回動することで仮想線で示すように、第１本体５と第２本体６が分離して第２本体６の上面が開口して燃料電池２（つまり、電池本体２０）が外部に露出する。
【００３１】
次に、本発明の薬剤放散装置の第２の実施の形態として送風式の薬剤放散装置について説明する。
図５に示すように、装置本体１の第１本体５の開口部１０の下方に送風機収納室１８を形成し、この送風機収納室１８内に送風機１９を設ける。
この送風機１９はモータ１９ａでファン１９ｂを回転するもので、第１本体５の開口部１０から空気を吸い込んで、吐出口５ｃから吐出する。
【００３２】
このようであるから、送風機１９を駆動することで薬剤保持体４に空気が流通し、保持している薬剤を大気に放散する。
つまり、この実施の形態は発熱体３の代りに送風機１９を設けたことが前述の実施の形態と異なり、他の構成は同一である。
【００３３】
この実施の形態においても、図６に示すように第１本体５と第２本体６をヒンジ１７で開閉自在に連結しても良い。
【００３４】
前述の第１・第２の実施の形態に用いる薬剤保持体４としては、薬剤含浸体４０の材質として、紙類（パルプ、リンター、合成紙など）、木製類（おがくずなど）、セラミック、繊維類（化学繊維、ガラス繊維、炭素繊維など）、天然繊維（木綿、羊毛、絹、麻など）、樹脂類（ポリエチレン、ポリプロピレン、レーヨン、ビスコース、高吸油性ポリマーなど）、各繊維からの不織布、天然植物等の乾燥物などが例示される。
前記薬剤含浸体４０の形態としてはシート状、網状、ハニカム状、スノコ状、格子状、綿状、粒状、マット状などが例示される。また、通気性のある袋、容器などに収納したものでも良い。形状としては、円形、四角形、多角形などが例示される。
また、発熱体の発熱温度を低温度（例えば１００℃以下）で加熱する場合、前記薬剤保持体の中では、通気性の大きい材料、またその成形物であることが望ましい。例えば、薬剤保持体中を熱気流が通過する、不織布、など材質、網状、ハニカム状、など形状が好ましい。また、多数の小孔を形成しても良い。
また、薬剤の含有量を高める、例えば不織布などをひだ形状にする、など手段も可能である。
また、本発明に用いる薬剤保持体４として、薬液としては後述する薬剤を適当な溶剤、例えばノルマルパラフィン、イソパラフィン、ナフテン系炭化水素等の石油系溶剤に溶解した油性薬液、又は水、界面活性剤等を用いて可溶化させた水性薬液などが挙げられる。
【００３５】
次に、本発明の薬剤放散装置の第３の実施の形態として超音波式の薬剤放散装置について説明する。
この実施の形態は、図７に示すように発熱体、送風機の代りに超音波発振機構７を設け、薬剤保持体の代りに薬液容器８を設け、この超音波発振機構７は燃料電池２を電源として超音波を発振し、その超音波で薬液容器８内の薬液（液状の薬剤）を霧化し大気に放散する。
他の構成は、前述の第１・第２の実施の形態と同様である。
【００３６】
前記超音波発振機構７は、振動板７０と発振子７１、例えばピエゾ発振子を備え、その発振子７１が図示しないピエゾ発振回路に接続して燃料電池２を電源として超音波を発振し、その超音波が振動板７０に伝わる。
前記薬剤容器８は、容器本体８０内に吸液芯８１を挿入したもので、その吸液芯８１によって前記振動板７０に薬剤を供給する。
このようであるから、振動板７０に前述の超音波が伝わることで、前述の吸液芯８１で振動板７０に供給された容器本体８０内の薬液を霧化し、大気に噴霧する。つまり、吸液芯８１は薬液を振動板７０に供給する薬液供給手段で、吸液芯以外のものを利用できる。例えば振動板に薬液を滴下するなど。
【００３７】
前記第１本体５内には薬液容器収納室８２と超音波発振機構収納室７２が形成してあり、この超音波発振機収納室７２は噴霧口７３で大気に開口している。
前記薬液容器収納室８２は連通孔８３で電池本体収納室１４を連通し、この薬液容器収納室８２は上面に形成した排出孔８４で大気に開口している。
【００３８】
前述の実施の形態でも、図８に示すように、第１本体５と第２本体６をヒンジ１７で開閉自在に連結し、起動時には第１本体５を回動して第２本体６の上面を開口して燃料電池２（燃料本体２０）を外部に露出するようにすることができる。
【００３９】
図７に示す超音波式の薬剤放散装置によれば、燃料電池２が発電の際に発生する熱で霧化する薬液を加熱して薬液の粘度を低下することができる。
つまり、燃料電池２からの発生熱は連通孔８３から薬液容器８に伝達することで霧化する薬液を加熱して、その粘度を下げ、絶えず、均一な粒子径分布で噴霧できる粘度範囲を維持することができるようにした。また、前述の発生熱は吸液芯８１の目詰まり阻止などにも有効利用でき、超音波発振機構７に安定した送液が可能となる。
【００４０】
前述のように超音波を利用して薬液を霧化して噴霧する装置は前述のピエゾ式噴霧装置に限ることはなく、次のような装置でも良い。
第１には、超音波で振動する振動板を薬液中に配設して薬液を霧化する装置、具体的には薬液、薬液を収容した霧化槽、該霧化槽に配設された振動板から構成され、霧化槽に設けられた振動板は、両面に形成された電極部に所定周波数の電圧が印可されることにより、磁歪振動を起こして超音波振動を出力し、薬液に超音波振動を与えられ霧化する。
第２には、超音波で振動する振動板を噴霧筒に配設して噴霧筒内に薬液を吸い上げ霧化する装置、具体的には超音波ポンプ、超音波トランスデューサーを利用するタイプは、圧電素子、液吸上げ口、噴霧筒の機構からなり、圧電素子に交番電圧を負荷させ、圧電素子の固有振動数とトランスデューサーを共振させ、パワーをトランスデューサー先端に拡大し伝達させ、超音波霧化させるものである。
しかし、装置の小型化や取り扱いの簡便性を考慮するとピエゾ式噴霧装置や超音波ポンプ式噴霧装置が好ましい。
【００４１】
前述ようにして噴霧する薬液の噴霧パターンについて述べると、噴霧を連続的に行っても良いし、噴霧を間欠的に行っても良い。間欠噴霧を行う場合は、噴霧粒子が長時間浮遊する粒子径において有効であり、消費電力の低減化を図ることが可能である。また、殺虫剤など使う害虫防除において安全性を高めることもできる。
【００４２】
前述の各実施の形態における発熱体３と薬剤保持体４、送風機１９と薬剤保持体４、超音波発信機構７と薬剤容器８が、燃料電池２を電源として薬剤を大気に放散する手段である。
【００４３】
前述の実施の形態では、装置本体１を第１本体５と第２本体６を接離自在とし、第１本体５に薬剤を大気に放散する手段を設けると共に、第２本体６に燃料電池２を設けたが、装置本体１に薬剤を大気に放散する手段と燃料電池２を平面方向に離隔してそれぞれ設け、その燃料電池２が装置本体１の上面又は下面、又は側面に露出するようにしても良い。
【００４４】
例えば、図９と図１０に示すように、装置本体１に燃料電池取付部９０と薬剤放散手段取付部９１を、平面方向に離隔して形成し、その燃料電池取付部９０に燃料電池２を取付け、その燃料電池２が装置本体１の上面に露出するようにする。
前記薬剤放散手段取付部９１に薬剤放散手段、例えば送風機１９と薬剤保持体４を取付ける。
【００４５】
このようにすれば、燃料電池２と薬剤（薬剤保持体４）が平面方向に離隔しているので、環境温度が低い場所で使用する際に、外部加熱手段で燃料電池２を加熱昇温した場合に、薬剤に外部加熱手段の熱が伝わり難く、その薬剤に悪影響を及ぼすことがない。
【００４６】
次に具体構造を説明する。
前記燃料電池取付部９０は、装置本体１の上面に開口した電池本体収納室１４と燃料タンク収納室１５で構成されている。なお、電池本体２０のみを外部加熱手段で加熱昇温するのであれば、電池本体収納室１４と薬剤放散手段取付部９１との間に燃料タンク収納室１５を設けることが好ましい。
前記薬剤放散手段取付部９１は、開口部１０の周縁上部の薬剤保持体取付部１２と、開口部１０と連通した送風収納室１８で構成されている。
【００４７】
前述のように、電池本体収納室１４と燃料タンク収納室１５を上面が開放した形状とすれば、外部加熱手段で加熱昇温することが容易であるが、ゴミ等の異物の侵入や外観の見栄え等で問題がある場合には、蓋体を取付けることができる。
例えば、図１１に示すように蓋体９２を着脱自在に取付け、通常使用時には蓋体９２を取付けて各収納室１４，１５を閉塞してゴミ等の異物が侵入しないようにすると共に、外観の見栄えを良くする。
また、起動時には蓋体９２を取り外して各収納室１４，１５を開放し、電池本体２０、燃料タンク２１を外部に露出させる。
【００４８】
前記燃料電池２（電池本体２０）は装置本体１の下面に露出するようにしても良い。
例えば、図１２に示すように電池本体収納室１４と燃料タンク収納室１５を装置本体１の下面に開口させて燃料電池２が装置本体１の下面に露出するようにする。
この場合には、底板９３を着脱自在に取付けて電池本体２０、燃料タンク２１を支持することが好ましい。
【００４９】
前記燃料電池２（電池本体２０）は装置本体１の側面に露出するようにしても良い。
例えば、図１３に示すように電池本体収納室１４を装置本体１の側面に開口させて燃料電池２が装置本体１の側面に露出するようにする。
【００５０】
この実施の形態においても、送風機１９、薬剤保持体４の替わりに発熱体３と薬剤保持体４、超音波発振機構７と薬剤容器８を設けて薬剤放散手段としても良いことは勿論である。
【００５１】
本発明において使用される薬剤としては、芳香剤、消臭剤、殺菌剤、殺ダニ剤、害虫あるいは害獣忌避剤、殺虫剤または害虫の成長制御剤、吸血行動阻止剤などで、揮散性のものが用いられる。
そして、上記の薬剤で、殺虫を目的として使用する場合、従来より用いられている各種揮散性殺虫剤を用いることができ、ピレスロイド系殺虫剤、カーバメート系殺虫剤、有機リン系殺虫剤等を挙げることができる。一般に安全性が高いことからピレスロイド系殺虫剤が好適に用いられる。
さらに、微量で効力を発揮する高活性のメトフルトリン、トランスフルトリン、エムペントリン、テラレスリン、プロフルトリンが薬剤含浸体を薄く、また小さくできることからより好ましい。
また、上記薬剤に薬剤を徐放化する揮散調整剤（ワセリン類、グリコール類など）、酸化防止剤（ＢＨＴ，ＢＨＡなど）、共力剤（ピペロニルブトキサイド、サイネピリン２２２など）、溶解剤（パラフィン類、多価アルコール類、脂肪酸エステル類など）、紫外線吸収剤、香料などを必要に応じて添加することは勿論である。
【００５２】
本発明に用いる燃料電池としては、その電解質の種類に基づいて類別されるリン酸型、固体高分子型、溶融炭酸塩型、固定酸化物型、アルカリ型などが挙げられる。薬剤の送風拡散用途の電源としては、室温付近に近い温度で作動可能であること、小型に構成可能であること、などから前述の固体高分子型、アルカリ型の燃料電池が好ましい。
燃料としては、純水素（水素吸蔵合金、水素ボンベ、水素吸蔵カーボンナノチューブなど）液体燃料、天然ガス、ナフサ、石灰ガスなどが挙げられる。使用時の取り扱いが容易であること、簡単な構造で小型であることなどから、前述の純水素や液体燃料が好ましい。また液体燃料は目視できる利点があり、高濃度メタノール、希釈メタノール水溶液、その他エタノール、プロパノール、ジメチルエーテル、エチレングリコ−ルなどが例示されるが、燃料として供給された水素が水素イオンと電子に分解できるものであれば特に限定されない。
また、電池本体としては、前述に説明したセパレータ／負極／電解質／正極／セパレータの単一セルを、任意の目的に合わせてセルを複数枚重ねた構造からなる電池本体を使用することは勿論である。
【図面の簡単な説明】
【００５３】
【図１】本発明の第１の形態を示す断面図である。
【図２】第２本体のみの断面図である。
【図３】燃料電池の断面説明図である。
【図４】第１本体と第２本体をヒンジで連結した状態の断面図である。
【図５】本発明の第２の形態を示す断面図である。
【図６】第１本体と第２本体をヒンジで連結した状態の断面図である。
【図７】本発明の第３の形態を示す断面図である。
【図８】第１本体と第２本体をヒンジで連結した状態の断面図である。
【図９】本発明の第４の形態を示す平面図である。
【図１０】本発明の第４の形態を示す断面図である。
【図１１】蓋体を取付けた状態の断面図である。
【図１２】燃料電池を装置本体の下面に露出させるようにした断面図である。
【図１３】燃料電池を装置本体の側面に露出させるようにした断面図である。
【符号の説明】
【００５４】
１…装置本体、２…燃料電池、３…発熱体、４…薬剤保持体、５…第１本体、６…第２本体、７…超音波発振機構、８…薬液容器、１４…電池本体収納室、１５…燃料タンク収納室、１９…送風機、２０…電池本体、２１…燃料タンク。
【図１】
2006271297.tif 000003
【図２】
2006271297.tif 000004
【図３】
2006271297.tif 000005
【図４】
2006271297.tif 000006
【図５】
2006271297.tif 000007
【図６】
2006271297.tif 000008
【図７】
2006271297.tif 000009
【図８】
2006271297.tif 000010
【図９】
2006271297.tif 000011
【図１０】
2006271297.tif 000012
【図１１】
2006271297.tif 000013
【図１２】
2006271297.tif 000014
【図１３】
2006271297.tif 000015